(57)【要約】【課題】ダクトの耐火性、耐久性、品質を向上しながら、ダクト施工の工期短縮、架払費を含むコストの縮減、ダクト施工に要するスペースの削減を図る。【解決手段】筒状のダクト構成材１１の外周側にコンクリート外周壁１２が一体形成されたプレキャストダクト材１０を予め製作したのち、プレキャストダクト材１０を建物のダクト構築箇所の据付位置に揚重し、揚重されたプレキャストダクト材１０を建物の躯体２に固定する。【選択図】図４
2018071159.tif 000002
【特許請求の範囲】
【請求項１】
筒状のダクト構成材の外周側にコンクリート外周壁が一体形成されたプレキャストダクト材を予め製作したのち、前記プレキャストダクト材を建物のダクト構築箇所の据付位置に揚重し、揚重された前記プレキャストダクト材を前記建物の躯体に固定するダクト構築方法。
【請求項２】
前記プレキャストダクト材を前記躯体に固定しながら順次縦方向に積み上げることにより、前記建物のダクト構築箇所に竪ダクトを構築する請求項１記載のダクト構築方法。
【請求項３】
前記ダクト構築箇所の据付位置に揚重された後続の前記プレキャストダクト材は、据付られた先行の前記プレキャストダクト材との接合面間にパッキンを圧縮状態に配置した状態で積み上げられている請求項２記載のダクト構築方法。
【請求項４】
前記プレキャストダクト材の前記コンクリート外周壁の一側部が、構築後に前記躯体の一部を構成する壁部に構成されている請求項２又は３記載のダクト構築方法。
【請求項５】
前記ダクト構築箇所の据付位置に据付られた先行の前記プレキャストダクト材の接合面における前記壁部に相当する部位と、後続の前記プレキャストダクト材の接合面における前記壁部に相当する部位との間にグラウトを充填することにより、先行の前記プレキャストダクト材の前記壁部と後続の前記プレキャストダクト材の前記壁部とを固定する請求項４記載のダクト構築方法。
【発明の詳細な説明】
【技術分野】
【０００１】
本発明は、集合住宅や商業施設等の建物にダクトを構築するダクト構築方法に関する。
【背景技術】
【０００２】
上述のダクト構築方法として、例えば、特許文献１に開示されている鉄筋コンクリート造建物の構築方法においては、柱、梁接合部を含む鉄筋コンクリート造の柱と梁を一体化した躯体ブロック材を予め形成し、この躯体ブロック材を、下層階の躯体ブロック材の鉄筋コンクリート柱及び同一階層の他の躯体ブロック材の鉄筋コンクリート梁にそれぞれ接合して躯体骨組を構築し、この躯体骨組の鉄筋コンクリート梁の上側に床スラブブロック材を敷設して躯体を構築する。
床スラブブロック材は、鉄筋コンクリート梁で区画される格子状の一つの升目全体を覆うプレキャスト版（ＰＣａ版）によって形成され、この床スラブブロック材には、空調ダクト、天井下地材が予め取付けられている。
【０００３】
しかし、上述の構築方法では、ＰＣａ版製の床スラブブロック材に空調ダクトを予め取付けるという点が開示されているだけであり、空調ダクトの具体的な構造及び構築方法については記載されていない。そのため、耐火性が要求されるダクトの構築には対応できない。
【０００４】
そこで、耐火性が要求されるダクトの構築方法として、例えば、建物の吹き抜け部の躯体に排煙・換気用の竪ダクトを構築する場合において、躯体工事が完了した躯体のダクト構築箇所に鉄骨下地を取付ける鉄骨下地工事と、躯体の壁面との間でダクト取付け空間を区画形成する軽量気泡コンクリート壁（ＡＬＣ壁）を鉄骨下地に取付けるＡＬＣ壁工事と、鉄骨下地に耐火被覆を施す耐火被覆工事と、ダクト取付け空間内にダクトを配置するダクト工事とを実行するダクト構築方法が考えられる。
【先行技術文献】
【特許文献】
【０００５】
【特許文献１】特開平８−３０２８１２号公報
【発明の概要】
【発明が解決しようとする課題】
【０００６】
上述のダクト構築方法は、ダクトの配置スペース以外に、躯体の壁面との間でダクト取付け空間を区画形成するＡＬＣ壁の配置スペースと、建物の吹き抜け部内に総足場を構築するスペースとを確保する必要がある。しかも、吹き抜け部内での足場の架払工事が発生する。そのため、仮設資材の数量だけでなく、その搬入・搬出や架払にかかる作業量が増加する。
さらに、躯体工事の完了後に鉄骨下地工事、ＡＬＣ壁工事、耐火被覆工事、ダクト工事を実行するため、ダクト施工を含む工期の長期化とコストの高騰化を招来し易い。
【０００７】
この実情に鑑み、本発明の主たる課題は、ダクトの耐火性、耐久性、品質を確保しながら、構造の簡素化、ダクト施工を含む工期短縮、架払費を含むコストの縮減、ダクト施工に要するスペースの削減を図ることのできるダクト構築方法を提供する点にある。
【課題を解決するための手段】
【０００８】
本発明による第１の特徴構成は、ダクト構築方法であって、筒状のダクト構成材の外周側にコンクリート外周壁が一体形成されたプレキャストダクト材を予め製作したのち、前記プレキャストダクト材を建物のダクト構築箇所の据付位置に揚重し、揚重された前記プレキャストダクト材を前記建物の躯体に固定する点にある。
【０００９】
上記構成によれば、ダクト材を、筒状のダクト構成材とそれの外周側に一体形成されるコンクリート外周壁との複数層構造とすることにより、単層構造のダクト材でダクトを構成する場合に比較して、構造の簡素化を図りながらダクトの耐火性及び耐久性を確保することができる。
【００１０】
しかも、このダクト材をプレキャスト化（ＰＣａ化）して予め製作するので、その製作されたプレキャストダクト材を建物のダクト構築箇所の据付位置に揚重し、この揚重されたプレキャストダクト材を建物の躯体に固定するだけで済む。そのため、上述の躯体工事完了後のダクト構築方法における鉄骨下地工事、ＡＬＣ壁工事、耐火被覆工事を削減することができるとともに、仮設資材の数量及びそれの搬入・搬出や架払にかかる作業量、スペースを軽減することができる。
【００１１】
したがって、ダクトの複数層構造でのＰＣａ化により、耐火性、耐久性、品質を確保しながら、ダクト施工を含む工期短縮、架払費を含むコストの縮減、ダクト施工に要するスペースの削減を図ることができる。
【００１２】
本発明による第２の特徴構成は、前記プレキャストダクト材を前記躯体に固定しながら順次縦方向に積み上げることにより、前記建物のダクト構築置箇所に竪ダクトを構築する点にある。
【００１３】
上記構成によれば、プレキャストダクト材と躯体とを強固に固定することができ、安定した状態でプレキャストダクト材を順次縦方向に積み上げて竪ダクトを構築することができる。しかも、躯体工事の進行に伴ってプレキャストダクト材を躯体の階層毎に固定しながら順次縦方向に積み上げる工法を採用することができ、躯体工事と竪ダクト工事とを略同時期に完了させることができる。
それ故に、上述の躯体工事完了後のダクト構築方法に比較して工期短縮化を一層図ることができる。
【００１４】
本発明による第３の特徴構成は、前記ダクト構築箇所の据付位置に揚重された後続の前記プレキャストダクト材は、据付けられた先行の前記プレキャストダクト材との接合面間にパッキンを圧縮状態に配置した状態で積み上げられている点にある。
【００１５】
上記構成によれば、積み上げられた両プレキャストダクト材の接合面間を、圧縮状態に配置されたパッキンで確実に密封して、竪ダクトの気密性を向上することができる。
【００１６】
本発明による第４の特徴構成は、前記プレキャストダクト材の前記コンクリート外周壁の一側部が、構築後に前記躯体の一部を構成する壁部に構成されている点にある。
【００１７】
上記構成によれば、躯体工事に合わせて竪ダクト工事を階層毎に完結することができるとともに、ＰＣａ化されたプレキャストダクト材の一側部をもって構築後に躯体の一部を構成するので、プレキャストダクト材と躯体とを一体化によって強固に固定することができるとともに、躯体工事及び竪ダクト工事の工期短縮化を図ることができる。
【００１８】
本発明による第５の特徴構成は、前記ダクト構築箇所の据付位置に据付けられた先行の前記プレキャストダクト材の接合面における前記壁部に相当する部位と、後続の前記プレキャストダクト材の接合面における前記壁部に相当する部位との間にグラウトを充填することにより、先行の前記プレキャストダクト材の前記壁部と後続の前記プレキャストダクト材の前記壁部とを固定する点にある。
【００１９】
上記構成によれば、積み上げられた両プレキャストダクト材のうち、構築後に躯体の一部を構成する壁部同士をグラウトで強固に固定することができるので、プレキャストダクト材同士を適切な相対姿勢で長期間に亘って確実、強固に固定することができる。
【図面の簡単な説明】
【００２０】
【図１】建物の吹き抜け部を構成する躯体の耐震壁及び竪ダクトの工事完成時の水平断面図
【図２】プレキャストダクト材の製作時の水平断面図
【図３】一節分のプレキャストダクト材の揚重時の縦断側面図
【図４】二節分のプレキャストダクト材の揚重時の縦断側面図
【図５】プレキャストダクト材の揚重接合時のパッキン配置を示す水平断面図（ａ）と縦断側面図（ｂ）
【図６】二節分のプレキャストダクト材の据付時の縦断側面図
【図７】両プレキャストダクト材の接合完了時のパッキン配置を示す水平断面図（ａ）と縦断側面図（ｂ）
【図８】ハーフプレキャスト壁の据付時の水平断面図
【図９】ハーフプレキャスト壁の製作時の斜視図
【図１０】製作されたハーフプレキャスト壁に対する配管取付け時の側面図
【発明を実施するための形態】
【００２１】
〔第１実施形態〕
図１は、集合住宅や商業施設等の建物の略中央部を構成するセンターコア構造の一部を示す。このセンターコア構造の内部には、エレベータ、階段、タワーパーキング、機械室、配管等の設備が集合配置され、センターコア構造の周囲には共用廊下や居住空間等が構成される。
本実施形態おいては、タワーパーキング等を設置する吹き抜け部１を区画形成する躯体２の耐震壁（コア壁）３のダクト構築箇所には、ダクトの一例である竪ダクト４が構築されている。この竪ダクト４は、ＰＣａ工場やＰＣａ製作サイト等のＰＣａ製作場において予め製作されたプレキャストダクト材１０を躯体２のダクト構築位置に固定しながら順次縦方向に積み上げることにより構築されている。
【００２２】
竪ダクト４を構成する各プレキャストダクト材１０は、横断面形状が矩形となる角筒状に製作された耐食性に優れた金属製（例えば、溶融亜鉛メッキ鋼板）のダクト構成部材１１と、それの外周側を囲繞する状態で一体形成される鉄筋コンクリート製のコンクリート外周壁１２とからなる。
コンクリート外周壁１２の四つの側面を構成する第１コンクリート側壁部１２Ａ〜第４コンクリート側壁部１２Ｄのうち、躯体２の耐震壁３と一体形成される一側面（一側部）の第１コンクリート側壁部１２Ａは、躯体２の耐震壁３の厚みよりも大なる厚みに構成されている。残りの三つの側面を構成する第２コンクリート側壁部１２Ｂ〜第４コンクリート側壁部１２Ｄは、耐震壁３の厚みよりも小なる厚みに統一構成されている。
【００２３】
耐震壁３の他の一部は、図８〜図１０に示すように、トラス筋４１のトップ側が露出する状態で予め製作されたハーフプレキャスト壁（例えば、オムニア版）４０を耐震壁構築箇所に揚重して据付け固定し、現場でのコンクリート打設によって耐震壁３が構築されている。このハーフプレキャスト壁４０の室内側内面には、図１０に示すように、所定数の配管Ｐが予め取付けられているとともに、ハーフプレキャスト壁４０には、図８、図１０に示すように、外型枠４６を所定間隔で取付けるためのセパレータ４２が予め取付けられている。
【００２４】
次に、上述の竪ダクト４を構築するダクト構築方法について説明する。
［１］プレキャストダクト材１０の製作工程
図２に示すように、ＰＣａ製作場において、横断面形状が矩形となる角筒状の金属製のダクト構成部材１１を内型枠として固定配置する。このダクト構成部材１１の外周面１１ａ側には、ダクト軸方向に沿う複数のダクト縦筋１３Ａとダクト帯筋１３Ｃ及び、耐震壁３の壁連結筋４４と接続される複数のダクト横筋１３Ｂとを配筋する。この配筋の外側位置に、外型枠１５としてのコンクリート型枠を固定配置する。この外型枠１５の内面１５ａとダクト構成部材１１の外周面１１ａとの間隔は、コンクリート外周壁１２における第１コンクリート側壁部１２Ａ〜第４コンクリート側壁部１２Ｄの各厚みに相当する設定間隔に規制する。
この状態でダクト構成部材１１の外周面１１ａと外型枠１５の内面１５ａとの成形空間内にコンクリートを打設する。打設コンクリートの養生後に外型枠１５を撤去することにより、金属製のダクト構成部材１１の外周面１１ａにコンクリート外周壁１２が一体成形されたプレキャストダクト材１０を製作することができる。
【００２５】
本実施形態においては、図３、図４に示すように、第１コンクリート側壁部１２Ａに配置されるダクト縦筋１３Ａの下端部には、モルタル等のグラウト充填式の鉄筋継手スリーブ１３Ｅが設けられている。第１コンクリート側壁部１２Ａに配置されるダクト縦筋１３Ａの上端部には、上階側のプレキャストダクト材１０の鉄筋継手スリーブ１３Ｅに対してダクト軸方向から挿入接続可能な接続代でコンクリート外周壁１２の上端面１２ｂから突出する連結筋部１３ａが形成されている。
また、図３、図４に示すように、一節のプレキャストダクト材１０が据付固定される設置階の床スラブ５には、一節のプレキャストダクト材１０の鉄筋継手スリーブ１３Ｅに対してダクト軸方向から挿入接続可能な接続代で床スラブ５の上面５ａから突出する連結筋部１３Ｆが設けられている。
【００２６】
さらに、本実施形態においては、図１、図２に示すように、ダクト横筋１３Ｂの両端部には、耐震壁３の壁連結筋４４との接続代で第１コンクリート側壁部１２Ａの左右の両外側面から突出する連結筋部１３ｂが形成されている。
また、竪ダクト４を構築する各プレキャストダクト材１０は、図４に示すように、設置階の床スラブ５の上面５ａから上階の床スラブ５の上面５ａまでの高さに相当する又は略相当する高さに設定されている。
【００２７】
［２］一節のプレキャストダクト材１０の揚重・据付工程
図３に示すように、一節のプレキャストダクト材１０の上端部に吊りボルト１６を取付け、タワークレーン等でプレキャストダクト材１０を設置階の床スラブ５の上面５ａにおけるダクト形成箇所に揚重して据付固定する。据付固定された状態では、プレキャストダクト材１０の鉄筋継手スリーブ１３Ｅが、床スラブ５の上面５ａから突出する連結筋部１３Ｆに対してダクト軸方向から差し込み接続されている。このプレキャストダクト材１０の鉄筋継手スリーブ１３Ｅと床スラブ５側の連結筋部１３Ｆとは、鉄筋継手スリーブ１３Ｅに充填されたグラウトで固定される。
【００２８】
さらに、設置階の床スラブ５の上面５ａと一節のプレキャストダクト材１０のコンクリート外周壁１２の下端面１２ａとの接合面間には、図５、図７に示すように、据付けられた先行（下階）のプレキャストダクト材１０のコンクリート外周壁１２の上端面１２ｂと後続（上階）のプレキャストダクト材１０のコンクリート外周壁１２の下端面１２ａとの接合面間を密封接合する密封接合構造と同一又は略同一の密封接合構造が構成されている。そのため、設置階の床スラブ５と一節のプレキャストダクト材１０との接合面間の密封接合構造については、後述の両プレキャストダクト材１０の接合面間の密封接合構造において詳述する。
【００２９】
次に、図１、図８に示すように、プレキャストダクト材１０の隣接の耐震壁構築位置には、ＰＣａ製作場で製作されたハーフプレキャスト壁４０が揚重されて設置されている。このハーフプレキャスト壁４０のトラス筋４１の露出側に壁連結筋４４や壁縦筋４５等の配筋を施すとともに、配筋されたハーフプレキャスト壁４０側の壁連結筋４４とプレキャストダクト材１０の壁連結筋４４とを接続する。その後、ハーフプレキャスト壁４０に予め設けられているセパレータ４２に、外型枠４６としてのコンクリート型枠を取付け、ハーフプレキャスト壁４０とプレキャストダクト材１０及び外型枠４６とで形成される成形空間にコンクリート４７を打設する。
【００３０】
この打設コンクリート４７の養生により、ハーフプレキャスト壁４０を用いた耐震壁３の構築が完了すると同時に、プレキャストダクト材１０のコンクリート外周壁１２における一側部の第１コンクリート側壁部１２Ａが、構築後に躯体２の耐震壁３の一部を構成する壁部３Ａとなる。この耐震壁構成用の壁部３Ａは、図１に示すように、第１コンクリート側壁部１２Ａのうち、少なくとも耐震壁３の室内側壁面３ａ及び室外側壁面面３ｂの延長線間に相当する領域をもって構成されている。そのため、躯体工事に合わせて竪ダクト工事を階層毎に完結することができるとともに、ＰＣａ化されたプレキャストダクト材１０の一側部である第１コンクリート側壁部１２Ａをもって構築後に躯体２の耐震壁３の一部を構成するので、躯体工事の能率化を図ることができる。
【００３１】
［３］二節のプレキャストダクト材１０の揚重・据付工程
図４に示すように、一節のプレキャストダクト材１０の据付工事が完了すると、現場において、プレキャストダクト材１０の上部にコンクリートを打設し、枝ダクト用取出口１７を区画形成する側壁部１８を形成するとともに、上階の梁６及び床スラブ５の施工を実施する。
その後、二節のプレキャストダクト材１０の上端部に吊りボルト１６を取付け、タワークレーン等で二節のプレキャストダクト材１０を、次のダクト構築箇所の据付位置である一節のプレキャストダクト材１０の上端部に揚重して据付固定する。据付固定された状態では、上階の二節のプレキャストダクト材１０の鉄筋継手スリーブ１３Ｅが、先に据付固定されている下階の一節のプレキャストダクト材１０の上端面１２ｂから突出するダクト縦筋１３Ａの連結筋部１３ａに対してダクト軸方向から嵌合接続されている。
上階のプレキャストダクト材１０の鉄筋継手スリーブ１３Ｅと下階のプレキャストダクト材１０の連結筋部１３ａとは、鉄筋継手スリーブ１３Ｅに充填されたグラウトで固定される。
【００３２】
据付固定されている下階のプレキャストダクト材１０の上端面１２ｂと上階のプレキャストダクト材１０の下端面１２ａとは密封接合構造で接合されている。この密封接合構造には、図７に示すように、両プレキャストダクト材１０の接合面間を密封するためのパッキン３０が設けられている。このパッキン３０は、ダクト内外方向で最大５層となる第１パッキン部材３０Ａ〜第５パッキン部材３０Ｅから構成されている。
最内側に位置する第１パッキン部材３０Ａは、ダクト構成部材１１のダクト軸方向の端面に沿って接触状態で矩形環状に配置される排煙パッキンから構成されている。
最内から二番目に位置する第２パッキン部材３０Ｂは、矩形環状の第１パッキン部材３０Ａの外側面に沿って接触状態で矩形環状に配置されるブチルゴムから構成されている。
最内から三番目に位置する第３パッキン部材３０Ｃは、矩形環状の第２パッキン部材３０Ｂの外側面のうち、第２コンクリート側壁部１２Ｂ〜第４コンクリート側壁部１２Ｄの接合領域に位置する外側面に沿って接触状態でコの字状に配置されるクロロプレンゴムから構成されている。
最内から四番目に位置する第４パッキン部材３０Ｄは、第３パッキン部材３０Ｃの外側面に沿って接触状態でコの字状に配置されるロックウールから構成されている。
最外側に位置する第５パッキン部材３０Ｅは、第２コンクリート側壁部１２Ｂ〜第４コンクリート側壁部１２Ｄの接合領域における第４パッキン部材３０Ｄの外方側の接合面間に充填されるコーキング材から構成されている。
【００３３】
更に、本実施形態の密封接合構造では、図７に示すように、両プレキャストダクト材１０の第１コンクリート側壁部１２Ａの接合面間における第２パッキン部材３０Ｂの外方側部位には、グラウト３１が充填されている。この充填されたグラウト３１の固化により、下階のプレキャストダクト材１０の第１コンクリート側壁部１２Ａをもって構成される耐震壁構成用の壁部３Ａと、上階のプレキャストダクト材１０の第１コンクリート側壁部１２Ａをもって構成される耐震壁構成用の壁部３Ａとが一体的に固定される。
そして、縦方向に積み上げられた両プレキャストダクト材１０のうち、構築後に躯体２の耐震壁３の一部を構成する壁部３Ａ同士をグラウト３１で強固に固定することができるので、プレキャストダクト材１０同士を適切な相対姿勢で長期間に亘って確実、強固に固定することができる。
【００３４】
また、図５、図７に示すように、各プレキャストダクト材１０のコンクリート外周壁１２の下端面１２ａの複数個所（本実施形態では四箇所）、つまり、ロックウール製の第４パッキン部材３０Ｄの配置領域における各辺の中央位置、及び、グラウト３１の充填領域における中央位置の各々には、下階側のプレキャストダクト材１０のコンクリート外周壁１２の上端面１２ｂとの当接により、両プレキャストダクト材１０の接合面間の隙間３４を設定間隔に規制する隙間調節手段の一例である隙間調節ボルト３５が螺合装着されている。
複数の隙間調節ボルト３５は、下階側のプレキャストダクト材１０上に揚重された上階側のプレキャストダクト材１０を載置したとき、パッキン３０中の第１パッキン部材３０Ａ〜第３パッキン部材３０Ｃが適切な圧縮状態となる設定間隔に規制する。
そして、上述のように複数の隙間調節ボルト３５によって両プレキャストダクト材１０に接合面間の隙間３４が設定間隔に確実に維持されるので、パッキン３０中の第１パッキン部材３０Ａ〜第３パッキン部材３０Ｃを適切な密封状態に維持することができる。
さらに、複数の隙間調節ボルト３５で水平調節することにより、各プレキャストダクト材１０を縦方向に精度良く積み上げることができる。
【００３５】
尚、図４、図５、図７に示すように、両プレキャストダクト材１０のコンクリート外周壁１２の下端面１２ａ及び上端面１２ｂのうち、第２コンクリート側壁部１２Ｂ〜第４コンクリート側壁部１２Ｄの接合領域に対応する部位には、クロロプレンゴム製の第３パッキン部材３０Ｃの上側部及び下側部が嵌合装着される位置決め用の装着溝３２，３３が形成されている。
【００３６】
次に、上述の密封接合構造の施工手順について説明する。
上階側のプレキャストダクト材１０を、先に据付固定されている下階側のプレキャストダクト材１０の上端部に揚重するとき、図示は省略するが、下階側のプレキャストダクト材１０のコンクリート外周壁１２の上端面１２ｂには、第１パッキン部材３０Ａ〜第３パッキン部材３０Ｃを予め配置しておく。このとき、第３パッキン部材３０Ｃの下側部は、下階側のプレキャストダクト材１０のコンクリート外周壁１２の上端面１２ｂに形成されている装着溝３３に嵌合装着されている。
下階側のプレキャストダクト材１０の上端部に上階側のプレキャストダクト材１０が据付固定された状態では、第３パッキン部材３０Ｃの上側部は、上階側のプレキャストダクト材１０のコンクリート外周壁１２の下端面１２ａに形成されている装着溝３２に嵌合装着された状態にあるので、第１パッキン部材３０Ａ〜第４パッキン部材３０Ｄの位置ずれを抑制することができる。
その後、第２コンクリート側壁部１２Ｂ〜第４コンクリート側壁部１２Ｄの接合領域における第４パッキン部材３０Ｄの外方側の接合面間に、第５パッキン部材３０Ｅを構成するコーキング材を充填する。さらに、両プレキャストダクト材１０の第１コンクリート側壁部１２Ａの接合面間における第２パッキン部材３０Ｂの外方側部位に、グラウト３１を充填する。
【００３７】
尚、設置階の床スラブ５と一節のプレキャストダクト材１０との接合面間の密封接合構造及び施工手順は、上述の両プレキャストダクト材１０の接合面間の密封接合構造及び施工手順と同一である。
【００３８】
図９は、ＰＣａ製作場において、耐震壁３を構成するハーフプレキャスト壁４０の製作説明図である。本実施形態では、ハーフプレキャスト壁４０に対応する水平な成形型枠内に、トラス筋４１、セパレータ４２等を配筋するとともに、配管Ｐの支持金具５０を取付けるための取付け金具（図示せず）をインサート状態で配置し、トラス筋４１のトップ側及びセパレータ４２の一端側が露出する状態でコンクリート４８を打設する。
このＰＣａ製作場においては、ハーフプレキャスト壁４０の複数のセパレータ４２の上端部に係合する位置決め用の定規４９が取付けられている。
【００３９】
製作されたハーフプレキャスト壁４０は、図１０に示すように、ＰＣａ製作場の床面から所定高さ位置に縦向き姿勢に保持し、ハーフプレキャスト壁４０にインサートされている取付け金具に支持金具５０を固定連結し、支持金具５０に集合配水管等の配管Ｐを取付ける。配管Ｐは、ハーフプレキャスト壁４０の下端よりも下方に所定長さ突出し、耐震壁構築箇所に揚重されたとき、耐震壁構築箇所の床スラブ５に形成されている配管孔（図示せず）に各配管Ｐの下側突出管部を挿入する。
【００４０】
〔その他の実施形態〕
（１）上述の実施形態では、ＰＣａ製作場において、筒状の金属製のダクト構成部材１１を外周面１１ａを内型枠としてコンクリートを打設して、ダクト構成部材１１の外周面１１ａにコンクリート外周壁１２が一体成形されたプレキャストダクト材１０を製作したが、この構成に限定されるものではない。例えば、ＰＣａ製作場において、筒状の金属製のダクト構成部材１１の外周側に、予め筒状に製作されたコンクリート外周壁１２又はダクト構成部材１１の各側面に対応する大きさで予め製作された分割構造のコンクリート外周壁１２を取付け金具で一体的に取付け構成してもよい。
【００４１】
（２）上述の実施形態では、ＰＣａ化されたプレキャストダクト材１０の一側部である第１コンクリート側壁部１２Ａをもって、構築後に躯体２の耐震壁３の一部の壁部３Ａを構成したが、この構成に限定されるものではない。例えば、プレキャストダクト材１０の直交する二辺（二側部）のコンクリート側壁部をもって、構築後に躯体２の耐震壁３の一部の壁部３Ａを構成してもよい。
【００４２】
（３）上述の実施形態では、据付固定されている下階のプレキャストダクト材１０の上端面１２ｂと上階のプレキャストダクト材１０の下端面１２ａとの密封接合構造を、ダクト内外方向で最大５層となるパッキン３０から構成したが、単一のパッキン３０又は５層以外の複数層のパッキン３０から構成してもよい。
【００４３】
（４）上述の実施形態では、プレキャストダクト材１０を躯体２に固定しながら順次縦方向に積み上げることにより、建物のダクト構築箇所に竪ダクト４を構築したが、プレキャストダクト材１０を躯体２に固定しながら順次横方向に接合して、建物のダクト構築箇所に横ダクトを構築してもよい。
【００４４】
（５）上述の実施形態では、プレキャストダクト材１０のコンクリート外周壁１２の一側部が、構築後に躯体２の一部を構成する壁部３Ａに構成されている形態を例示したが、本発明は、プレキャストダクト材１０のコンクリート外周壁１２の一側部が、構築後に躯体２の一部を構成しない形態を含むものである。
【００４５】
（６）上述の実施形態では、プレキャストダクト材１０のＰＣａ化にあたって、構築後に躯体２の耐震壁３の一部を構成する壁部３Ａを含めてコンクリート外周壁１２全体を完成又は略完成状態で予め製作したが、このプレキャストダクト材１０をハーフプレキャストから構成してもよい。例えば、プレキャストダクト材１０のコンクリート外周壁１２の四つの側面を構成する第１コンクリート側壁部１２Ａ〜第４コンクリート側壁部１２Ｄのうち、躯体２の耐震壁３と一体形成される一側面（一側部）の第１コンクリート側壁部１２Ａを、トラス筋等の配筋及び型枠取付け用のセパレータが露出する状態で設定厚みよりも小なる厚みで製作する。
そして、ダクト構築位置に揚重して据付けられたハーフプレキャストのプレキャストダクト材１０に予め設けられているセパレータに、型枠としてのコンクリート型枠を取付ける。また、耐震壁構築位置に揚重して据付けられたハーフプレキャスト壁４０に予め設けられているセパレータ４２に、外型枠４６としてのコンクリート型枠を取付ける。この状態でコンクリートを打設して、竪ダクト４と耐震壁３とを一体的に構築する。
【符号の説明】
【００４６】
２      躯体
３Ａ    壁部
４      ダクト（竪ダクト）
１０    プレキャストダクト材
１１    ダクト構成部材
１２    コンクリート外周壁
３０    パッキン
３１    グラウト
【図１】
2018071159.tif 000003
【図２】
2018071159.tif 000004
【図３】
2018071159.tif 000005
【図４】
2018071159.tif 000006
【図５】
2018071159.tif 000007
【図６】
2018071159.tif 000008
【図７】
2018071159.tif 000009
【図８】
2018071159.tif 000010
【図９】
2018071159.tif 000011
【図１０】
2018071159.tif 000012